(57)【要約】【課題】織布を、使用時に室温に比して高温となる部材に貼着しても、当該織布が乾燥収縮して剥がれ難い織布の貼着方法を提供する。【解決手段】織布４に予め乾燥処理を施してから、使用時に室温に比して高温となる部材２に貼着する。【選択図】　図１
2004044034.tif 000002
【特許請求の範囲】
【請求項１】
織布に予め乾燥処理を施してから、使用時に室温に比して高温となる部材に貼着することを特徴とする織布の貼着方法。
【発明の詳細な説明】
【０００１】
【発明の属する技術分野】
本発明は、織布を、使用時に室温に比して高温となる部材に貼着する方法に関する。
【０００２】
【従来の技術】
使用時に室温に比して高温となる部材に、織布を貼着して、オペレータが前記部材に直接触れることなく該部材を操作し得るよう構成することは従来から公知である。
【０００３】
例えば、写真処理装置では、一般に現像処理を施した後、現像処理工程で現像処理液が付着した感光材料を、乾燥処理部にて搬送手段で搬送しながら温風を吹き付け乾燥させている。搬送手段は、例えば、搬送ベルトと、搬送ローラとを備えており、所定寸法に切断された感光材料を前記搬送ベルトと、前記搬送ローラとで案内して搬送している。
【０００４】
搬送される感光材料は、ごく希に何らかの原因で搬送経路中でつまることがある。この「つまり」が発生した場合、写真処理装置のオペレータは、感光材料の搬送を一時的に停止させ、手作業にて搬送経路につまっている感光材料を取り出している。このとき、オペレータは、つまっている感光材料を取り出すため、搬送手段を収容している筐体が具備している扉や、搬送手段の可動に構成されている部分を手指で摘んで保持して動かす必要がある。それらの扉や搬送手段の一部は、一般に金属や樹脂により形成されている。
【０００５】
前記乾燥処理部では前述のように、乾燥のために感光材料に温風が吹き付けられている。そのため、写真処理装置の稼働中は、前記乾燥処理部内部の温度が室温に比して高温になっており、例えば８０℃程度になっている。従ってオペレータが手指で触れる扉や搬送手段の一部も、高温となり、オペレータが直接手を触れた場合やけどをするおそれがある。そこで、前記扉等を織布で覆い当該扉等から熱が直接指に伝わらないようにしている。これにより、感光材料のつまりが発生したとき、前記扉等を布を介して手指で摘み直ちにつまっている感光材料を取り出す作業を始めることができる。布を前記扉等に固定するには、コストの点から貼着材を用いるのが望ましく、作業性の点で特に両面テープが使用されるのが一般的である。
【０００６】
しかし、写真処理装置の製造時、織布を扉等に貼着する時点で、織布は、空気中の水蒸気を吸着して保持している場合もある（特に、ナイロン織布等の吸湿性の高い織布は顕著である）。この場合、写真処理装置の稼働により乾燥処理部の温度が上昇するのに伴って、前記扉等に貼着された織布は乾燥して収縮することとなる。そして、吸湿した織布が乾燥して収縮するときの収縮率は、前記扉等を形成している金属や樹脂、或いは織布と前記扉等との間に介在する両面テープより大きいため、織布は、両面テープとの貼着面より剥がれてしまう場合がある。
【０００７】
上記問題は、織布を写真処理装置の前記扉等に貼着する場合に限らず、工業用熱処理炉や乾燥装置などの、使用時に室温に比して高温となる部材に、オペレータが前記部材に直接触れることなく該部材を操作し得るように織布を貼着する場合一般について言えることである。
【０００８】
【発明が解決しようとする課題】
本発明は、斯かる従来技術の問題点を解決するべくなされたものであり、織布を、使用時に室温に比して高温となる部材に貼着しても、剥がれ難い織布の貼着方法を提供することを課題とする。
【０００９】
【課題を解決するための手段】
斯かる課題を解決するべく、本発明は、織布に予め乾燥処理を施してから、使用時に室温に比して高温となる部材に貼着することを特徴とする織布の貼着方法を提供するものである。
【００１０】
斯かる発明によれば、織布を乾燥させ、その後に当該織布を、使用時に室温に比して高温となる部材に貼着する。従って、前記部材の温度が使用時に室温に比して高温となっても、前記織布は、乾燥により水分量が減少しているため、水分の蒸発による収縮が少ないか或いは収縮することがなく、前記部材から剥がれ難くなる。
【００１１】
【発明の実施の形態】
以下、添付図面を参照しつつ、本発明の実施形態について説明する。
図１は、本発明の一実施形態に係る貼着方法を適用した扉１を示す。図１（ａ）は正面図、図１（ｂ）は側面図である。図１に示すように、扉１は、使用時に室温に比して高温となる部材としての扉本体２と、両面テープ３にて扉本体２に貼着されている、織布としてのナイロン製のベルベット織物（以下ベルベット織物という）４と、軸５とを備えている。軸５は、前記乾燥処理部の具備する軸受け（図示せず）に回動自在に支持されている。両面テープ３は、ベルベット織物４の片面全面に貼着されている。ベルベット織物４は、中央部分６が扉本体２の表面７全面に貼着され、端部８が裏面９に折り返して貼着されている。
【００１２】
次に、本実施形態に係る扉１における、ベルベット織物４の貼着方法について説明する。本実施形態に係る扉１におけるベルベット織物４は、ベルベット織物４を予め乾燥させてから、扉本体２に貼着される。
【００１３】
以下、より具体的に説明する。ベルベット織物４の乾燥作業は、乾燥作業の終了後にベルベット織物４に含まれている水分量を、乾燥作業の実施前にベルベット織物４に含まれていた水分量以下とすることを目的として実施する。斯かる目的を達成するべく、ベルベット織物４の乾燥は、例えば、家庭用のアイロンを用いて実施される。この際、アイロンの温度は、例えば、１４０℃に設定してベルベット織物４に１０秒間静止した状態で接触させる。なお、アイロンの温度は、上記温度に限るものではなく、水分の蒸発が促進されるように、乾燥作業を実施するときの室温より高い温度であればよい。なお、乾燥のための加熱方法は、上記のようにアイロンを用いた方法に限るものではなく、赤外線の照射や、恒温槽を用いるなど、ベルベット織物４を乾燥させる方法である限りにおいて、種々の方法を採用することができる。
【００１４】
乾燥後のベルベット織物４と、扉本体２とを両面テープ３で貼着する場合は、両面テープ３をベルベット織物４に貼着させてから扉本体２に貼着させても、先に扉本体２に両面テープ３を貼着させてからベルベット織物４をその上に貼着するようにしてもよい。
【００１５】
なお、本発明を適用する織布は、図２の展開図に示すように、切れ目１０と、切れ目１１とを設けたベルベット織物４ａとしてもよい。切れ目１０は、点線状の切れ目で、ベルベット織物４ａを扉本体２に貼着したときに扉本体２の端面１２に位置する部位に設けられている。ベルベット織物４ａの切れ目１０が設けられている箇所は、切れ目１０により断面積が減少しているため屈曲し易い。従って、ベルベット織物４ａの端部８を、扉本体２の裏面９から離間させる方向に働く力（屈曲前の状態に復元しようとする力）が減少するので、ベルベット織物４ａが剥がれ難くなる。
【００１６】
ベルベット織物４ａは、前述のように、予め乾燥させてから扉本体２に貼着される。従って、使用時に室温に比して高温になっても収縮は少ないか或いは収縮しないので、ベルベット織物４ａの剥がれは抑制されているのであるが、切れ目１０は、加えてベルベット織物４ａが、上記復元力が原因で剥がれることを防止している。
【００１７】
また、切れ目１１は、ベルベット織物４ａの端部８を、端面１２に沿う方向に分割している。写真処理装置が稼働していないときは、扉１が加熱されないためにベルベット織物４ａの中央部分６及び端部８が共に吸湿して伸び、両面テープ３との貼着面より浮き上がって剥がれてしまうおそれがある。しかしながら、切れ目１１によって、このような場合に、ベルベット織物４ａの端部８に生じる伸びが逃がされるため、端部８は扉本体２から剥がれ難くなる。従って、ベルベット織物４ａの中央部分６が吸湿により伸びて浮き上がった場合も、ベルベット織物４ａの端部８は剥がれ難いので、ベルベット織物４ａは扉本体２から離脱し難い。
【００１８】
図３は、本実施形態に係る扉１を写真処理装置１００に適用した例を示す図である。写真処理装置１００は、図３に示すように、前記レーザエンジンＱを具備するプリンタ部Ａと、プロセッサ部Ｂとを備えている。プリンタ部Ａは、マガジン１３と、カッタ１４と、搬送ユニット１５と、露光処理ユニット１６とを備えており、レーザエンジンＱは当該露光処理ユニット１６に備えられている。
【００１９】
プリンタ部Ａのマガジン１３は、長尺の感光材料Ｐを巻回したものを回転可能に収容しており、露光処理ユニット１６は、レーザエンジンＱと、副走査用ローラ対１７，１７とを備えている。
【００２０】
プロセッサ部Ｂは、現像処理ユニット１８と、乾燥処理ユニット１９とを備えている。現像処理ユニット１８は、複数の槽からなる現像処理槽２０と、複数のローラ対２１とを備え、現像処理槽２０の複数の槽には、現像液が入れられており、複数のローラ対２１は、感光材料Ｐの現像処理槽２０への浸漬と引き上げとを行えるように並列状態に適宜配設されている。乾燥処理ユニット１９は図示していない温風発生手段を備えている。また、乾燥処理ユニット１９は、開口部２２を備えている。
【００２１】
本実施形態に係る扉１は、ベルベット織物４で覆われた面を外側に向けて、開口部２２に、開閉自在に取り付けられている。このため、感光材料が搬送経路中でつまったときは、オペレータが扉１を開き、開口部２２に手を差し入れて感光材料を摘んで取り出すことができる。このとき、扉１の扉本体２は、前記温風発生手段の発生する温風のため高温となっているが、オペレータは、ベルベット織物４で覆われている部分に触れるようにすれば、やけどをするおそれがない。また、扉１は、ベルベット織物４で覆われている、高温とならない面が外側に向けられているため、写真処理装置の稼働中にオペレータが誤って触れても、やけどをするおそれがない。
【００２２】
なお、本実施形態では、織布を乾燥させる方法として、アイロン等の加熱によるものについて説明したが、本発明はこれに限るものではなく、シリカゲルのような吸湿材を備えた容器へ投入するなど、織布を乾燥させる方法である限りにおいて、種々の方法を採用することができる。また、貼着材も本実施形態におけるような両面テープに限るものではなく、液状の貼着材や、感圧性貼着材のみからなる基材レス貼着テープなど、貼着材である限りにおいて、種々のものを採用することができる。
【００２３】
また、本実施形態では、織布として、ナイロン製のベルベット織物を用いる場合について説明したが、本発明はこれに限るものではなく、ナイロン製のコール天など、種々のものについて適用することができる。また、織布としては、全ての経緯糸にナイロンを用いたものの他、経緯糸の一部又は全部に混紡糸を用いた混紡織物であってもよい。また、本発明に係る織布は、ナイロン織布に限定されず、ポリエステル織布、綿織布、麻織布など種々のものを採用することができる。
【００２４】
更に、本実施形態では、使用時に室温に比して高温となる部材が、写真処理装置において乾燥処理部に設けられている、つまった感光材料を取出すときに用いられる扉である場合について説明したが、本発明はこれに限るものではなく、工業用熱処理炉や乾燥装置などの、使用時に室温に比して高温となる部材である限りにおいて、種々のものについて適用することができる。
【００２５】
【実施例】
以下、実施例を示すことにより、本発明の特徴をより一層明らかにする。
【００２６】
図１に示す扉１のベルベット織物４を、前述したベルベット織物４ａに置き換えた扉を作成した。本実施例において、扉本体２の大きさは、縦５１ｍｍ、横１０８ｍｍ、厚み１．５ｍｍであり、材質はステンレスである。ベルベット織物４ａの大きさは、縦７５ｍｍ、横１０８ｍｍである。なお、ベルベット織物４ａは、乾燥作業を梅雨時に実施することを想定して、やや厳しい条件である温度３５℃、湿度８５％の雰囲気中に、吸湿した水分量が飽和するまで放置したものを使用した。ベルベット織物４ａの乾燥は、家庭用のアイロンを温度１４０℃に設定し、ベルベット織物４ａに１０秒間静止した状態で接触させて行った。ベルベット織物４ａは、扉本体２へ、端部８を端面１２から裏面９へそれぞれ１０ｍｍ折り返すようにして貼着した。
【００２７】
本実施例の扉１（写真処理装置より取り外したもの）を、恒温槽内に放置してそれぞれ以下の条件で耐久試験を行った。
（１）温度８５℃、湿度０％の雰囲気中に連続１６６時間放置する。
（２）乾燥処理部と同様の温度８２℃、湿度２３％の雰囲気中に連続１４４時間放置する。
【００２８】
本実施例の扉１を、上記（１）及び（２）の条件で恒温槽内に放置しても、ベルベット織物４ａの剥がれは発生しなかった。これに対して、ベルベット織物４に乾燥処理を行わないで扉本体２に貼着したものは、上記（１）及び（２）の条件で耐久テストを行ったところ、いずれもベルベット織物４と、両面テープとの接着面で剥がれが発生した。
【００２９】
【発明の効果】
以上に説明したように、本発明に係る織布の貼着方法によれば、織布に予め乾燥処理を施してから、使用時に室温に比して高温となる部材に貼着する。従って、前記部材の温度が使用時に室温に比して高温となっても、前記織布は、乾燥により水分量が減少しているため、水分の蒸発による収縮が少ないか或いは収縮することがなく、前記部材から剥がれ難くなる。
【図面の簡単な説明】
【図１】図１は、本発明の一実施形態に係る扉を示す図である。
【図２】図２は、上記実施形態に係るナイロン製のベルベット織物に切れ目を入れた例を示す図である。
【図３】図３は、本発明に係る扉を写真処理装置に適用した例を示す図である。
【符号の説明】
１　　扉
４　ナイロン製のベルベット織物
【図１】
2004044034.tif 000003
【図２】
2004044034.tif 000004
【図３】
2004044034.tif 000005